(57)【要約】【課題】引っ張り操作する際に、他部材に対する摺動性が優れた被覆材、および、当該被覆材を使用したワイヤ部材を備えた自動販売機を提供する。【解決手段】金属製の線材をコイル状にして形成された長尺状のコイル部を有し、当該コイル部の内側に湾曲可能な金属性の芯部材Ｂを挿通可能な被覆材Ａ、および、排出制御部手動作動手段７０が、金属製の線材をコイル状にして形成された長尺状のコイル部を有する被覆材Ａおよび当該コイル部の内側に挿通してある湾曲可能な金属性の芯部材Ｂを備えたワイヤ部材７１を有する自動販売機。【選択図】図５
2014048943.tif 000002
【特許請求の範囲】
【請求項１】
金属製の線材をコイル状にして形成された長尺状のコイル部を有し、当該コイル部の内側に湾曲可能な金属性の芯部材を挿通可能な被覆材。
【請求項２】
内部に収容対象物を収容する収容部を設けた本体部と、前記収容対象物を表示する表示部と、排出する収容対象物を指定するスイッチ部と、前記本体部に開閉可能に設けられた外扉部と、前記収容部の下方に排出された収容対象物を一時貯留する排出部と、前記収容部の下端に設けられ、前記収容対象物の排出を防止する収容姿勢および前記収容対象物を排出させる排出姿勢に切り替え可能な排出制御部と、を備えた自動販売機において、
前記スイッチ部を操作したときに当該スイッチ部に対応した前記排出制御部を前記排出姿勢に電力を供給して姿勢変更する排出制御部作動手段、および、
前記排出制御部作動手段に電力を供給できないときに、前記排出制御部を排出姿勢に手動で姿勢変更できる排出制御部手動作動手段を備え、
前記排出制御部手動作動手段が、金属製の線材をコイル状にして形成された長尺状のコイル部を有する被覆材、および、当該コイル部の内側に挿通してある湾曲可能な金属性の芯部材を備えたワイヤ部材を有する自動販売機。
【発明の詳細な説明】
【技術分野】
【０００１】
本発明は、金属性の芯部材を挿通可能な被覆材、および、当該被覆材を備えたワイヤ部材を有する自動販売機に関する。
【背景技術】
【０００２】
自動販売機は、例えば飲料物などを缶の中に封入した収容対象物を収容する収容部が組み込まれた本体部と、この正面に開閉自在に設けられた外扉部とを有する。収容対象物を本体部内に補給する際には、外扉部を開いて内部の収容部に作業者が収容対象物を供給する。外扉部には、収容対象物を表示する表示部と、購入者が購入する収容対象物を指定するためのスイッチ部とが設けられており、料金投入口から料金が投入された状態で特定のスイッチ部が操作されると、指定された収容対象物は収容対象物取り出し口に向けて排出される。
【０００３】
当該自動販売機は、通常、外部から電力が供給され、電磁石（ソレノイド）の作動によって収容部内の収容対象物を排出部に排出するように構成される。そのため、震災などの緊急事態が発生して長期間に渡って停電状態が発生した場合には、自動販売機に電力を供給することができなくなるため料金を投入しても自動販売機は作動せず、通常の操作では収容対象物を取り出すことはできなくなる。
【０００４】
特許文献１には、震災などの緊急自体が発生して停電状態となった場合に、手動操作によって内部に収容された収容対象物を取り出し得る自動販売機が記載してある。
【０００５】
具体的には、停電状態となって外部から電力が自動販売機に供給されなくなったとき、移動変換カムとワイヤと操作ノブとにより構成された手動操作手段を手動で操作する。
【０００６】
移動変換カムには連動部材としてのワイヤが取り付けられており、このワイヤの先端部には、手動操作時に把持する操作ノブが取り付けられている。当該操作ノブは本体部の内部に設けられているが、外扉部を開放すれば外部に露出するよう配設されている。
【０００７】
操作ノブを手動により引っ張り操作すると、ワイヤは本体部の正面側に移動する。このワイヤの移動は移動変換カムのピンを中心とした回転移動に変換される。当該回転移動により、排出ユニットに設けられ、収容対象物の排出を防止する収容姿勢および収容対象物を排出する排出姿勢に姿勢変更するストッパを、収容姿勢から排出姿勢に変更することができる。これにより、停電状態であっても収容対象物を自動販売機の収容部から手動で容易に排出させて取り出すことができる。
【先行技術文献】
【特許文献】
【０００８】
【特許文献１】特許第３０２６８０５号公報
【発明の概要】
【発明が解決しようとする課題】
【０００９】
特許文献１において、手動操作手段のワイヤは自動販売機の内部に配設されており、操作ノブを引っ張り操作すると、当該ワイヤの配設状態によっては当該ワイヤは自動販売機の内部の他部材と接触（摺接）しながら本体部の正面側に移動することがある。
また、当該ワイヤは被覆材などで被覆して自動販売機の内部に配設される場合がある。この場合、例えば金属製のワイヤである芯部材、および、当該芯部材を被覆する樹脂製の被覆材によって構成されるワイヤ部材を自動販売機の内部に配設する。
当該ワイヤ部材を引っ張り操作したとき、例えば樹脂製の被覆材と他部材との摩擦が発生することがある。このとき発生した摩擦抵抗が大きなものとなれば、ワイヤ部材の摺動性が低下し、ワイヤ部材を大きな力で引っ張り操作する必要がある。
【課題を解決するための手段】
【００１０】
従って、本発明の目的は、引っ張り操作する際に、他部材に対する摺動性が優れた被覆材、および、当該被覆材を使用したワイヤ部材を備えた自動販売機を提供することにある。
【００１１】
上記目的を達成するための本発明に係る被覆材の特徴構成は、金属製の線材をコイル状にして形成された長尺状のコイル部を有し、当該コイル部の内側に湾曲可能な金属性の芯部材を挿通可能に構成した点にある。
【００１２】
通常、金属材はその表面が滑らかであるため摩擦抵抗は樹脂材より小さく、他物との摺動性は樹脂材より優れていると考えられる。本発明の被覆材は金属製の線材をコイル状にして形成されているため、当該被覆材の外表面が他物と接触した場合であっても、樹脂製の被覆材の外表面が他物と接触した場合に比べて優れた摺動性を有する。
【００１３】
本発明の被覆材は、コイル部の内側に湾曲可能な金属性の芯部材を挿通可能に構成される。被覆材および芯部材は何れも金属製の材料で構成されているため、両者の摺動性は優れている。
【００１４】
以上より、本発明の被覆材であれば、その外表面および内表面の摺動性を優れたものとすることができるため、被覆材を有するワイヤ部材は引っ張り操作をスムーズに行うことができ、かつ大きな力で引っ張り操作する必要はない。
【００１５】
本発明に係る自動販売機の特徴構成は、内部に収容対象物を収容する収容部を設けた本体部と、前記収容対象物を表示する表示部と、排出する収容対象物を指定するスイッチ部と、前記本体部に開閉可能に設けられた外扉部と、前記収容部の下方に排出された収容対象物を一時貯留する排出部と、前記収容部の下端に設けられ、前記収容対象物の排出を防止する収容姿勢および前記収容対象物を排出させる排出姿勢に切り替え可能な排出制御部と、を備えた自動販売機において、前記スイッチ部を操作したときに当該スイッチ部に対応した前記排出制御部を前記排出姿勢に電力を供給して姿勢変更する排出制御部作動手段、および、前記排出制御部作動手段に電力を供給できないときに、前記排出制御部を排出姿勢に手動で姿勢変更できる排出制御部手動作動手段を備え、前記排出制御部手動作動手段が、金属製の線材をコイル状にして形成された長尺状のコイル部を有する被覆材、および、当該コイル部の内側に挿通してある湾曲可能な金属性の芯部材を備えたワイヤ部材を有する点にある。
【００１６】
本構成によれば、仮に震災などの緊急事態や異常事態が発生し、自動販売機に対する電力の供給が長期間に渡って停止される場合には、排出制御部手動作動手段によって排出制御部を排出姿勢に手動で姿勢変更し、収容対象物を容易に排出させることができる。
【００１７】
ワイヤ部材は、金属製の線材をコイル状にして形成された長尺状のコイル部を有する被覆材を備えるため他物との摺動性を優れており、ワイヤ部材は引っ張り操作をスムーズに行うことができ、かつ大きな力で引っ張り操作する必要はない。
【図面の簡単な説明】
【００１８】
【図１】本発明の自動販売機の外観の概略を示す斜視図である。
【図２】自動販売機の外扉部を開いた状態を示す正面図である。
【図３】本体部の内部空間の断面の要部外略図である。
【図４】本発明の被覆材の要部外略図である。
【図５】排出ユニットの正面外略図である。
【図６】排出ユニットの収容姿勢時の側面外略図である。
【図７】排出ユニットの排出姿勢時の側面外略図である。
【図８】排出ユニットの要部外略図である。
【発明を実施するための形態】
【００１９】
以下、本発明の実施形態を図面に基づいて説明する。
図４，５に示したように、本発明の被覆材Ａは、金属製の線材１をコイル状にして形成された長尺状のコイル部ａを有し、当該コイル部ａの内側に湾曲可能な金属性の芯部材Ｂを挿通可能に構成してある。
【００２０】
「金属性の線材１」とは例えば紐状（針金状）、あるいは帯状を呈する金属材のことを示す。当該金属材は、金属製であればどのような材料であってもよい。本実施形態の金属性の線材１は、ステンレス製の針金を使用した場合について説明する。
【００２１】
「コイル状」とは、前記線材１を、例えば螺旋状や渦巻状に巻いた形状を示す。コイル部ａを長尺状に構成することで、コイル部ａをある程度の長さを有するように形成できる。即ち、長尺状のコイル部ａにおいてその内側は、例えば略円柱状の空間が形成される。本発明の被覆材Ａは、当該空間に金属製の芯部材Ｂを挿通可能に構成する。当該芯部材Ｂは例えばコイル部ａの内径より小さな径を有し、かつ湾曲可能な金属材を使用することができる。芯部材Ｂとして使用できる金属材は、上述した金属性の線材１と同様に、例えば紐状（針金状）、あるいは帯状を呈するものであり、構成材料も金属製であれば特に限定されるものではない。
【００２２】
本発明の被覆材Ａは金属製の線材をコイル状にして形成されているため、当該被覆材Ａの外表面が他物と接触した場合であっても、樹脂製の被覆材の外表面が他物と接触した場合に比べて優れた摺動性を有する。
【００２３】
本発明の被覆材Ａは、コイル部ａの内側に湾曲可能な金属性の芯部材Ｂを挿通可能に構成される。被覆材Ａおよび芯部材Ｂは何れも金属製の材料で構成されているため、両者の摺動性は優れている。
【００２４】
コイル部ａは金属製の線材１をコイル状にして形成されているため、ある程度の湾曲性（変形性、屈曲性）を有する。そのため、コイル部ａおよび芯部材Ｂは同程度に湾曲させることができる。長尺状のコイル部ａにおいてその内側は、例えば略円柱状の空間が形成されるが、仮にコイル部ａが湾曲したとしても、湾曲部位における当該空間の断面形状（断面積）は変化し難い。即ち、コイル部ａはつぶれ変形（へこみ変形）することなく湾曲させることができるため、コイル部ａおよび当該コイル部ａの内側を挿通する芯部材Ｂは干渉し難い。
【００２５】
以上より、本発明の被覆材Ａであれば、その外表面および内表面の摺動性を優れたものとすることができるため、被覆材Ａを有するワイヤ部材の引っ張り操作をスムーズに行うことができ、大きな力で引っ張り操作する必要はない。
【００２６】
＜自動販売機＞
図１〜３に示したように、本発明の自動販売機Ｘは、内部に収容対象物１０を収容する収容部２１を設けた本体部２０と、収容対象物１０を表示する表示部３１と、排出する収容対象物１０を指定するスイッチ部３２と、本体部２０に開閉可能に設けられた外扉部３０と、収容部２１の下方に排出された収容対象物１０を一時貯留する排出部４０と、収容部２１の下端に設けられ、収容対象物１０の排出を防止する収容姿勢および収容対象物１０を排出させる排出姿勢に切り替え可能な排出制御部５０と、を備える。
【００２７】
収容対象物１０は、例えば飲料物などを缶の中に封入した態様のものが挙げられるが、この態様に限られるものではない。本実施形態では、収容対象物１０を缶入飲料とした場合について説明する。通常、自動販売機Ｘでは複数の異なる種類の収容対象物１０が販売される。
【００２８】
本体部２０は、通常、箱型を呈し、当該本体部２０の内部空間に複数の収容部２１を設けている。当該収容部２１の設置数は、例えば販売される収容対象物１０の種類の数と一致させるとよい。
本体部２０には外扉部３０の内側に断熱用の中扉２２が開閉自在に取り付けられており、収容部２１はこの中扉２２により覆われている。収容部２１は、本体部２０の内部空間を左右方向に複数の収容対象物収容空間２３に区分するとともに、前後方向にも複数の収容対象物収容空間２３に区分している。図３には、前後方向に５列の収容対象物収容空間２３を設けた場合を示しているが、この態様に限定されるものではない。それぞれの収容対象物収容空間２３はそれぞれ収容対象物１０を収容部２１の上部から下部に向けて案内する収容対象物案内通路となっている。収容部２１の上部には収容対象物１０を収容部２１に投入するために、収容対象物投入口２５が形成されている。
【００２９】
表示部３１には収容対象物１０の見本缶が配設される。スイッチ部３２は、購入者が購入すべき収容対象物１０を指定するものであり、例えば購入者がスイッチ部３２に対して押圧操作を行うことで収容対象物１０を指定することができるように構成するとよい。
表示部３１およびスイッチ部３２は、何れも外扉部３０に形成するとよい。
【００３０】
外扉部３０は本体部２０の正面に取り付けられ、通常、当該外扉部３０を本体部２０に対して閉じた状態で施錠される。外扉部３０には施錠用のキーを差し込むキー穴３３が設けられる。また、外扉部３０には、コイン投入口３４と、紙幣投入口３５と、釣銭操作レバー３６と、釣銭取り出し口３７とが設けられ、さらに、下端部には収容対象物取り出し口３８が設けられている。
コイン投入口３４あるいは紙幣投入口３５からコインあるいは紙幣を投入した後に、見本缶に対応して設けられたスイッチ部３２を購入者が押圧操作すると、購入者により指定された収容対象物１０が収容対象物取り出し口３８の内側にまで排出される。
【００３１】
収容部２１の下端部には、それぞれの収容対象物案内通路に対応させて排出ユニット２４が取り付けられている（図３，図５〜８）。排出ユニット２４は収容対象物収容空間２３と同じ数だけ設置するとよい。それぞれの排出ユニット２４は収容部２１の下端に設けられ、収容対象物１０の排出を防止する収容姿勢および収容対象物１０を排出させる排出姿勢に切り替え可能な排出制御部５０が設けられている。
【００３２】
図６は排出制御部５０が収容姿勢となった状態を示し、図７は排出制御部５０が排出姿勢となった状態を示す。排出制御部５０が収容姿勢（図６）になると、収容部２１内に収容された収容対象物１０は排出が防止され、排出姿勢（図７）になると、最下段の収容対象物１０は自重で下方に落下する。
落下した収容対象物１０は図３に示すガイドプレート４１に案内されて外扉部３０の内側の排出部４０まで案内され、購入者は外扉部１２に設けられた収容対象物取り出し口３８から取り出すことができる。
【００３３】
本実施形態の自動販売機Ｘでは、スイッチ部３２を操作したときに当該スイッチ部３２に対応した排出制御部５０を排出姿勢に電力を供給して姿勢変更する排出制御部作動手段６０を備える。
【００３４】
本実施形態の排出制御部作動手段６０はソレノイドを使用した場合について説明する。ソレノイド６０は、矩形状の支持基板部２６に配設される。当該ソレノイド６０は、鉄芯６１と、当該鉄芯の内側に巻装されたコイル６２と、当該コイル６２の内側から下方に突出した薄板状のプランジャ６３とを備える。プランジャ６３の下端側には薄板状のリンク部材６４を連結する掛止穴６３ａが形成してある。
【００３５】
支持基板部２６の開口部２６ａにはリンク軸部２７ａ，２７ｂおよび支持軸部２７ｃが互いに平行に架設されている。リンク軸部２７ａ，２７ｂは上下方向に移動可能に配設される。リンク軸部２７ｂおよび支持軸部２７ｃはバネ部材２８によって接続され、リンク軸部２７ｂは下方に付勢されている。
【００３６】
リンク部材６４の上部は掛止穴６３ａに掛止め可能となるように折り曲げ加工されたフック部６４ａが形成されている。また、リンク部材６４の左右縁側には折り曲げ加工された突出縁部６４ｂ，６４ｃが形成され、当該突出縁部６４ｂ，６４ｃに形成された穴部（図外）にリンク軸部２７ａ，２７ｂが貫通している。この構成により、ソレノイド６０の非通電時にはバネ部材２８の下方への付勢力によってリンク軸部２７ａ，２７ｂは下方に位置するが、ソレノイド６０の通電時にはリンク部材６４がプランジャ６３によって引き上げられることにより、リンク軸部２７ａ，２７ｂは上方に移動する。
【００３７】
支持基板部２６には、開口部２６ａの横方向に亘って架設された支持軸部２７ｄによって回動可能に支持された支持リンク片６５が配設してある。支持リンク片６５にはリンク軸部２７ａと係合する係合凹部６５ａが形成してある。即ち、リンク軸部２７ａが上方に移動することで係合凹部６５ａの上側係合面が押し上げられ、支持リンク片６５は回動しながら前方位置（図７左側）に突出する。一方、リンク軸部２７ａが下方に移動することで係合凹部６５ａの下側係合面が押し下げられ、支持リンク片６５は回動しながら退避位置（図６）に後退する。当該支持リンク片６５の上側はストッパ部材５１と接触しており、当該ストッパ部材５１は支持リンク片６５の回動に追従して動作する。
【００３８】
排出制御部５０は、開口部２６ａの横方向に亘って架設された支持軸部２７ｅによって回動可能に支持される。当該排出制御部５０は、支持軸部２７ｅに巻装されたバネ部材（図外）によって前方位置（図６左側）に突出する方向に付勢されている。
【００３９】
排出制御部５０には、排出制御部リンク片５２が設けられ、支持軸部側リンク片６６が支持軸部２７ｃに回動可能に配設されている。支持軸部側リンク片６６は、支持軸部２７ｃに巻装されたバネ部材（図外）によって退避位置（図７）に後退する方向に付勢されている。排出制御部リンク片５２の係合凹部５２ａには、支持軸部側リンク片６６のリンクピン６７が係合するように構成される。
【００４０】
支持軸部側リンク片６６にはリンク軸部２７ｂが係合する係合凹部が形成されている。リンク軸部２７ｂが下方に移動するに従い、支持軸部側リンク片６６はリンク軸部２７ｂに押され、弾性付勢力に抗して前方位置（図６左側）まで突出し、さらに排出制御部リンク片５２が係合することにより排出制御部５０の突出位置が維持される。一方、リンク軸部２７ｂが上方に移動するに従ってリンク軸部２７ｂとの係合が解除されると、支持軸部側リンク片６６は弾性付勢力により回動しながら退避位置（図７）に後退し、排出制御部リンク片５２および支持軸部側リンク片６６の係合が解除される。
【００４１】
このような構成により、ソレノイド６０の非通電時にはリンク軸部２７ａ，２７ｂは下方に位置し、ストッパ部材５１および支持リンク片６５は退避位置（図６）に後退して収容対象物１０とは関与せず、排出制御部５０は前方位置（図６左側）まで突出し、収容対象物１０が下方に排出されるのを防止する。
一方、ソレノイド６０の通電時にはリンク軸部２７ａ，２７ｂは上方に移動し、ストッパ部材５１および支持リンク片６５は前方位置（図７左側：収容対象物案内通路）に突出し、最下段の収容対象物１０とその上の収容対象物１０との間に入り込み、その上の収容対象物１０の下方への移動を規制する。また、リンク軸部２７ｂが上方に移動することにより、排出制御部リンク片５２および支持軸部側リンク片６６の係合が解除され、排出制御部５０の上に載置された収容対象物１０の自重によって排出制御部５０が退避位置（図７）に後退し、収容対象物１０は下方に排出される。
【００４２】
収容対象物１０の排出が完了すると、排出制御部５０は支持軸部２７ｅに巻装されたバネ部材（図外）によって前方位置（図６左側）に再び突出する姿勢に維持される。そして、ストッパ部材５１および支持リンク片６５は退避位置（図６）に後退して収容対象物１０とは関与しなくなり、次の収容対象物１０が排出制御部５０の上に載置され、排出待機状態となる。
【００４３】
本発明の自動販売機Ｘでは、震災などの緊急事態の発生によって停電状態となり、排出制御部作動手段６０に電力を供給できないときに、排出制御部５０を排出姿勢に手動で姿勢変更できる排出制御部手動作動手段７０を備える。
【００４４】
外部から電力が供給されなくなると、仮に外扉部３０を開いても排出ユニット２４の排出制御部５０を作動することができなくなるため、収容対象物１０を取り出すことはできない。しかし、本構成では、停電状態となっても、外扉部３０を開いた状態のもとでは手動操作により収容対象物１０を取り出すことができるように、排出制御部手動作動手段７０がそれぞれの排出ユニット２４に取り付けられている（図５，８）。
【００４５】
排出制御部手動作動手段７０は、金属製の線材１をコイル状にして形成された長尺状のコイル部ａを有する被覆材Ａ、および、当該コイル部ａの内側に挿通してある湾曲可能な金属性の芯部材Ｂを備えたワイヤ部材７１を有する。
【００４６】
当該ワイヤ部材７１の先端部には、手動操作時に把持される把持部７２が取り付けられている。この把持部７２は、図２に示すように、外扉部３０を開放したときに外部に露出される。
【００４７】
本実施形態では、ワイヤ部材７１の一端側（排出ユニット２４側）は、芯部材Ｂが二本の分離した金属製パイプ７３ａ，７３ｂに摺動可能に収容されており、芯部材Ｂの端部は排出ユニット２４に固定されている。ワイヤ部材７１の一端側は、コイル６２の周りに沿って略一回りするように排出ユニット２４に配設される。ワイヤ部材７１の一端側において、二本の分離した金属製パイプ７３ａ，７３ｂの間で芯部材Ｂは略Ｕ字状に露出しており、このＵ字状垂下部７１ａはリンク部材６４のフック部６４ａに引っ掛けられている。
ワイヤ部材７１の他端側（把持部７２側）は、コイル６２から下方に垂下するように配設される。
【００４８】
把持部７２を手動操作により引っ張ると、ワイヤ部材７１は本体部２０の正面側に移動し、これによりＵ字状垂下部７１ａがリンク部材６４を上方に移動させることができる。リンク部材６４がプランジャ６３によって引き上げられることにより、リンク軸部２７ａ，２７ｂは上方に移動（ソレノイド６０の通電時と同様の動作）して排出制御部５０が退避位置（図７）に後退し、収容対象物１０は下方に排出される。
【００４９】
即ち、仮に震災などの緊急事態や異常事態が発生し、自動販売機Ｘに対する電力の供給が長期間に渡って停止される場合には、管理者は外扉部３０の施錠を解除して何人も外扉部３０を開放し得る状態にする。この状態では、把持部７２を引っ張ることによって排出ユニット２４に設けられた排出制御部５０を収容姿勢から排出姿勢に手動で操作することができるため、容易に収容対象物１０を自動販売機Ｘの収容部２１から排出させて取り出すことができる。
ワイヤ部材７１は、金属製の線材１をコイル状にして形成された長尺状のコイル部ａを有する被覆材Ａを備えるため摺動性を優れており、当該ワイヤ部材７１を引っ張り操作する際には大きな力を要しない。そのため、ワイヤ部材７１の引っ張り操作をスムーズに行うことができる。
【産業上の利用可能性】
【００５０】
本発明の被覆材は、金属性の芯部材を覆うように挿通してワイヤ部材として利用でき、また、本発明の自動販売機は、例えば、通常時には収容対象物を販売し、震災などの緊急事態の発生時には収容対象物の備蓄倉庫として利用できる。
【符号の説明】
【００５１】
Ａ          被覆材
Ｂ          芯部材
ａ          コイル部
Ｘ          自動販売機
１          金属製の線材
１０        収容対象物
２０        本体部
２１        収容部
３０        外扉部
３１        表示部
３２        スイッチ部
４０        排出部
５０        排出制御部
６０        排出制御部作動手段
７０        排出制御部手動作動手段
７１        ワイヤ部材
【図１】
2014048943.tif 000003
【図２】
2014048943.tif 000004
【図３】
2014048943.tif 000005
【図４】
2014048943.tif 000006
【図５】
2014048943.tif 000007
【図６】
2014048943.tif 000008
【図７】
2014048943.tif 000009
【図８】
2014048943.tif 000010